(57)【要約】      （修正有）【課題】加工装置自体を利用して適宜のタイミングで容易に部品の発注を行う。【解決手段】被加工物を保持するチャックテーブルと、該チャックテーブルに保持された被加工物に加工を施す加工手段と、画像情報を表示する表示手段と、操作情報を入力する入力手段と、該加工手段と該表示手段と該入力手段を少なくとも制御する制御手段とを備え、該加工装置の該制御手段を通信回線を介して装置メーカー側に設置されたサーバーに接続し、該サーバーに接続された端末装置から該加工装置で使用する部品の注文コードを随時該サーバーに保存し、該加工装置の該制御手段が、該サーバーに保存された該注文コードを該通信回線を介してダウンロードし、該注文コードを該表示手段に表示した後に、購入を希望する該注文コード及び個数を該入力手段で入力し、該通信回線を介して該注文コード及び該個数を該サーバーに送信する。【選択図】図２
2014021668.tif 000002
【特許請求の範囲】
【請求項１】
被加工物を保持するチャックテーブルと、該チャックテーブルに保持された被加工物に加工を施す加工手段と、画像情報を表示する表示手段と、操作情報を入力する入力手段と、該加工手段と該表示手段と該入力手段を少なくとも制御する制御手段と、を備えた加工装置を利用した部品の発注方法であって、
該加工装置の該制御手段を通信回線を介して装置メーカー側に設置されたサーバーに接続するサーバー接続ステップと、
該サーバーに接続された端末装置から該加工装置で使用する部品の注文コードを随時該サーバーに保存する注文コード保存ステップと、
該加工装置の該制御手段が、該サーバーに保存された該注文コードを該通信回線を介してダウンロードし、該注文コードを該表示手段に表示するダウンロードステップと、
該ダウンロードステップを実施した後に、購入を希望する該注文コード及び個数を該入力手段で入力し、該通信回線を介して該注文コード及び該個数を該サーバーに送信する購入情報送信ステップと、
を含むことを特徴とする加工装置を利用した部品の発注方法。
【請求項２】
前記注文コード保存ステップ及び前記ダウンロードステップにおいて、前記注文コードは前記部品の説明情報とともに保存され、ダウンロードされる請求項１記載の加工装置を利用した部品の発注方法。
【請求項３】
前記加工装置の前記部品を交換した際に交換した該部品の種類及び時期を該制御手段に登録する部品交換登録ステップと、
前記購入情報送信ステップで送信した購入情報の購入個数に部品交換回数が近づいたときに、該部品の購入を促す購入促進情報を前記表示手段に表示する購入促進ステップと、
を更に含むことを特徴とする請求項１又は２記載の加工装置を利用した部品の発注方法。
【請求項４】
前記部品は切削ブレード及び研削ホイールを含む請求項１〜３の何れかに記載の加工装置を利用した部品の発注方法。
【発明の詳細な説明】
【技術分野】
【０００１】
本発明は、切削装置、研削装置等の加工装置を利用した部品の発注方法に関する。
【背景技術】
【０００２】
半導体デバイスや電子部品の製造工程では、半導体ウエーハやセラミックス基板等の各種素材からなる板状の被加工物、研削装置のスピンドルに装着された研削ホイールによって研削して所定の厚みに形成した後、切削装置のスピンドルに装着された切削ブレードやレーザー加工装置によって個々のデバイスチップに分割する。
【０００３】
これらの加工装置では、多くの部品を利用して加工が実施されているが、これらの部品のうち、例えば切削ブレードや研削ホイール等の消耗品や、経年劣化により交換を推奨している部品等は定期的にユーザー側が購入し、交換する必要がある（例えば、特開２００７−１６６３１３号公報参照）。
【０００４】
従来は、交換したい部品がある場合には、加工装置のユーザー側が電話、ＦＡＸ、メール又は郵送等により装置メーカー側に購入情報を送信し、この購入情報に応じて装置メーカー側で購入を希望する部品を納品するようにしていた。
【先行技術文献】
【特許文献】
【０００５】
【特許文献１】特開２００７−１６６３１３号公報
【発明の概要】
【発明が解決しようとする課題】
【０００６】
加工装置のこれらの部品は、更なる進化や環境への配慮等によって新製品又は代替品が発売される場合も多くあり、メーカー側からの案内がなければユーザー側は更に良い製品があるのにも関わらず同じ旧製品を使い続けてしまう場合がある。
【０００７】
また、交換用にこれらの部品を購入する場合は、電話、ＦＡＸ、メール等によりメーカー側に連絡を取り、購入品情報を伝え、見積書を受け取り、確認の上発注するという工程を通常は経るが、切削ブレードや研削ホイール等は、基本的に同じものを何度も発注するため、何度も同じことを繰り返すのは手間がかかり煩わしいという問題がある。
【０００８】
本発明はこのような点に鑑みてなされたものであり、その目的とするところは、加工装置自体を利用して適宜のタイミングで容易に部品の発注を行うことのできる加工装置を利用した部品の発注方法を提供することである。
【課題を解決するための手段】
【０００９】
本発明によると、被加工物を保持するチャックテーブルと、該チャックテーブルに保持された被加工物に加工を施す加工手段と、画像情報を表示する表示手段と、操作情報を入力する入力手段と、該加工手段と該表示手段と該入力手段を少なくとも制御する制御手段と、を備えた加工装置を利用した部品の発注方法であって、該加工装置の該制御手段を通信回線を介して装置メーカー側に設置されたサーバーに接続するサーバー接続ステップと、該サーバーに接続された端末装置から該加工装置で使用する部品の注文コードを随時該サーバーに保存する注文コード保存ステップと、該加工装置の該制御手段が、該サーバーに保存された該注文コードを該通信回線を介してダウンロードし、該注文コードを該表示手段に表示するダウンロードステップと、該ダウンロードステップを実施した後に、購入を希望する該注文コード及び個数を該入力手段で入力し、該通信回線を介して該注文コード及び該個数を該サーバーに送信する購入情報送信ステップと、を含むことを特徴とする加工装置を利用した部品の発注方法が提供される。
【００１０】
好ましくは、注文コード保存ステップ及びダウンロードステップにおいて、注文コードは部品の説明情報とともに保存されダウンロードされる。
【００１１】
好ましくは、加工装置を利用した部品の発注方法は、加工装置の部品を交換した際に交換した部品の種類及び時期を制御手段に登録する部品交換登録ステップと、購入情報送信ステップで送信した購入情報の購入個数に部品交換回数が近づいたときに、部品の購入を促す購入促進情報を表示手段に表示する購入促進ステップを更に含んでいる。
【発明の効果】
【００１２】
本発明の加工装置を利用した部品の発注方法によると、加工装置自体を利用して適宜のタイミングで容易に発注でき、更に部品の情報は随時メーカー側からサーバーに保存され最新情報に上書きされるので、最新の部品情報を容易に入手することができ、必要に応じて最新の部品を購入することができる。
【００１３】
また、部品の購入情報からユーザー側で在庫数も把握できるため、在庫数が少なくなってきていることを加工装置が割出して購入時期が近付いていることを知らせるため、在庫管理が容易になるという効果を奏する。
【図面の簡単な説明】
【００１４】
【図１】本発明のシステム構成を示す説明図である。
【図２】購入情報送信ステップを説明するインストラクション表示モニタの画面である。
【図３】購入促進情報を示すインストラクション表示モニタの画面である。
【発明を実施するための形態】
【００１５】
以下、本発明の実施形態を図面を参照して詳細に説明する。図１を参照すると、加工装置の一種である本発明実施形態に係る切削装置２の外観斜視図が示されている。符号４は切削装置２の各機構部品を収容するハウジングであり、骨組みに固定された多数のパネル及び外装カバーから構成されている。
【００１６】
ハウジング４内には、第１切削ユニット６Ａ及び第２切削ユニット６Ｂが互いに対向してＹ軸方向に整列するように配設されている。第１切削ユニット６Ａ及び第２切削ユニット６Ｂとも、スピンドルハウジング８内に回転可能に収容されたスピンドル１０と、スピンドル１０の先端部に装着された切削ブレード１２とを含んでいる。第１切削ユニット６Ａ及び第２切削ユニット６Ｂは互いに独立してＹ軸方向に移動可能である。
【００１７】
切削装置２の操作側には扉１４，１６が設けられている。扉１４，１６の下端部には開口１５が形成されている。オペレータ（作業者）はこれらの扉１４，１６を開けて第１及び第２切削ユニット６Ａ，６Ｂにアクセス可能である。
【００１８】
扉１４，１６の前側にはチャックテーブル１８が配設されている。チャックテーブル１８は回転可能及び扉１４，１６の下端部に設けられた開口１５を通してＸ軸方向に移動可能に構成されている。
【００１９】
２０は上下方向に移動可能なカセット載置台であり、カセット載置台２０上には、環状フレームＦの開口に貼着されたダイシングテープＴに被加工物１１が貼着されて構成される被加工物ユニット２２が複数枚収容されたカセット２４が例えば２個搭載される。
【００２０】
２６は情報入力手段として機能するタッチパネル式のオペレーション表示モニタであり、オペレータがモニタ４０に表示された情報にタッチすることにより、切削装置２にコマンドを入力することができるとともに、切削装置２の稼働状況がモニタ２６上に表示される。
【００２１】
２８は切削装置２の稼働状況を表示する表示ランプであり、切削装置２が正常作動時には例えば緑色で点灯し、何らかの故障が生じた場合には赤色が点滅する。３０は非常停止ボタンであり、オペレータがこの非常停止ボタン３０を押すと切削装置２の作動を直ちに停止することができる。
【００２２】
切削装置２には制御手段（コントローラ）３２が内蔵されている。制御手段３２は通信手段を有しており、通信手段及びインターネット等の通信回線３４を介して装置メーカー側に設置されたサーバー３６に選択的に接続される。サーバー３６には端末装置３８が接続されている。
【００２３】
本実施形態の加工装置を利用した部品の発注方法では、端末装置３８から切削装置２で使用する部品の注文コードをサーバー３６に保存する注文コード保存ステップを随時実施する。
【００２４】
この注文コードは、例えば切削ブレードの種類、サイズ、ブレードの刃厚等の情報を含み、更に新製品等の部品の説明情報が含まれる。この注文コードは、例えば部品情報が改定される度に端末装置３８からサーバー３６に入力され、最新情報に更新される。
【００２５】
本実施形態の加工装置を利用した部品の発注方法では、切削装置２の制御手段３２を通信回線３４を介して装置メーカー側に設置されたサーバー３６に接続するサーバー接続ステップを含んでいる。
【００２６】
このように制御手段３２が通信回線３４を介してサーバー３６に接続された状態で、切削装置２の制御手段３２が、サーバー３６に保存された注文コードを通信回線３４を介してダウンロードし、図２に示すように、注文コード４０Ａ〜４０Ｄをオペレーション表示モニタ２６上に表示する（ダウンロードステップ）。このダウンロードステップは、適宜のタイミング、例えば１週間毎又は切削装置２の立ち上げ等のタイミングで実施する。
【００２７】
このようなダウンロードステップを適宜のタイミングで実施した後、装置ユーザー側の作業者が購入を希望する注文コードを入力手段で入力し、通信回線３４を介して注文コードをサーバー３６に送信する購入情報送信ステップを実施する。
【００２８】
例えば、購入を希望する部品が切削ブレード１２である場合には、図２に示すように、切削ブレードの注文コード４０Ａ〜４０Ｄを切削ブレードの画像とともにオペレーション表示モニタ２６上に表示する。
【００２９】
切削装置の作業者は、購入を希望するブレードがブレードＣである場合には、ブレードＣの購入個数を入力してから、注文コード４０Ｃの「注文する」ボタン４２にタッチして、ブレードＣの注文コード４０Ｃを通信回線３４を介してサーバー３６に送信する。
【００３０】
装置メーカー側の作業者が、端末装置３８からサーバー３６にアクセスして、この購入情報をダウンロードすることにより、ユーザー側の使用者の購入情報を確認することができる。
【００３１】
この購入情報に基づいて、例えば装置メーカー側では見積書を発行し、見積もりでＯＫがとれた場合には、購入情報に基づく商品であるブレードＣを必要個数だけ発送する。注文コード４０Ａ〜４０Ｐ内に注文個数に応じた見積もり情報を含ませておくことにより、メーカー側で購入情報を受信した後の見積書の発行を省略することができる。
【００３２】
好ましくは、本実施形態の加工装置を利用した部品の発注方法では、加工装置の部品を交換した際に、交換した部品の種類及び時期を制御手段３２に登録する部品交換登録ステップと、購入情報送信ステップで送信した部品の購入個数に部品交換回数が近づいたときに、部品の購入を促す購入促進情報をオペレーション表示モニタ２６上に表示する購入促進ステップと、を更に含んでいる。
【００３３】
例えば、交換した部品が切削ブレードＣである場合には、切削ブレードＣの交換回数が購入情報送信ステップで送信した切削ブレードＣの購入個数に近づいたときに、図３に示すように、切削ブレードＣの購入を促す購入促進情報４４をオペレーション表示モニタ２６に表示する。好ましくは、購入促進情報４４を部分的に点滅させるか或いは色付けする等して作業者に注意を喚起するようにする。
【００３４】
この購入促進情報４４を見た切削装置２の作業者は、図２に示すように、ブレードＣの注文コード４０Ｃを注文ボタン４２にタッチすることにより入力し、通信回線３４を介して注文コード４０Ｃをサーバー３６に送信することができ、切削ブレードＣの発注のタイミングを渡過することなく、最適なタイミングでブレードＣを購入することができる。
【００３５】
上述した実施形態は、本発明の部品の発注方法を切削装置に適用した例について説明したが、本発明の加工装置を利用した部品の発注方法は切削装置に限定されるものではなく。研削装置、研磨装置、レーザー加工装置等の他の加工装置の部品の発注にも同様に適用することができる。
【００３６】
研削装置に本発明の部品の発注方法を適用した場合には、発注する部品に消耗品である研削ホイールを含み、研磨装置に適用した場合には、発注する部品に研磨パッドを含む。
【符号の説明】
【００３７】
２    切削装置
１２    切削ブレード
２６    インストラクション表示モニタ
３２    表示手段（コントローラ）
３４    通信回線
３６    サーバー
３８    端末装置
【図１】
2014021668.tif 000003
【図２】
2014021668.tif 000004
【図３】
2014021668.tif 000005